(57)【要約】【課題】本発明は各種音響機器および情報通信機器に使用されるコード付きスピーカに関するものであり、コードの半田付けによる位置バラツキの発生が課題であった。【解決手段】本発明のスピーカは、コード付きスピーカのコードガイドをフレーム３上に設けて構成することによりコード５の位置を安定させて半田付け７が行えるため、コードの位置バラツキを少なくすることができる。この構成により、接合されたコードは接合部からフレーム端面までの箇所において壁面にてガイドされる形となるため、コードが出ている方向と垂直方向な方向への位置規制が可能になる。【選択図】  図１
2005033361.tif 000002
【特許請求の範囲】
【請求項１】
フレームと、このフレームの外周部に結合された振動板と、この振動板に結合された振動部品と、この振動部品から引き出されたリード線と、このリード線に結合されたコードとからなるコード付きスピーカであって、前記フレームのリード線結合部及びリード線引き回し部を段落ち構造にしてコードガイドを設けたスピーカ。
【請求項２】
コードガイドとしてフレームに設けた段落ち部のうち、接合部以外のリード線引き回しの部分の段落ちを、その断面形状が１８０°以上の円弧となるような形状とした請求項１記載のスピーカ。
【請求項３】
コードガイドとしてフレームに設けた段落ち部において、その溝の幅がコードの芯線部の直径以上でかつ被覆部の直径以下の幅となる部分を設けた請求項１記載のスピーカ。
【請求項４】
コードガイドとしてフレームに設けた段落ち部において、少なくとも１箇所以上、コードが挿通するように蓋部分を設けた請求項１記載のスピーカ。
【発明の詳細な説明】
【０００１】
【発明の属する技術分野】
本発明は各種音響機器および情報通信機器に使用されるスピーカに関するものである。
【０００２】
【従来の技術】
従来のスピーカについて図５により説明する。
【０００３】
図５（ａ）は従来のスピーカをヨーク４の面から見た背面図を示したもの、また図５（ｂ）は側面半断面図を示したものであり、携帯電話用のダイナミックスピーカを示している。さらに図５（ｃ）はコード方向から見た側面図、図５（ｄ）は外観斜視図を示したものである。
【０００４】
図５によると、振動部品であるボイスコイル１に振動板２を結合し、この振動板２の周縁部をフレーム３に結合している。そして、このボイスコイル１を駆動させるための電流供給用のコード５を、フレーム３に結合されたターミナル６に半田付け７により結合し構成している。
【０００５】
なお、この出願の発明に関する先行技術文献情報としては、例えば、特許文献１が知られている。
【０００６】
【特許文献１】
特開２００２−３５４５８５号公報
【０００７】
【発明が解決しようとする課題】
上述のスピーカはボイスコイル１を駆動させるための電流供給用のコード５をフレーム３に結合されたターミナル６に半田付け７により結合し構成しているが、半田付け時にコードの位置を安定させることができないため、半田付けされたコード５の角度やスピーカとの相対的な位置が定まらずバラついてしまい、セットへの実装時にこのバラツキを考慮した機構設計を行わなければならなくなるという問題を有していた。
【０００８】
本発明は上記課題を解決するもので、半田付けされたコードの位置を安定させることで、機構的に優れたスピーカを提供するものである。
【０００９】
【課題を解決するための手段】
上記課題を解決するために、本発明は以下の構成を有する。
【００１０】
本発明の請求項１に記載の発明は、フレーム上のコードとスピーカとの接合部と、この接合部からフレーム端面までコードが配置される部分を段落ちにした構造としたものである。
【００１１】
この構成により、接合されたコードは接合部からフレーム端面までの箇所において壁面にてガイドされる形となるため、コードが出ている方向と垂直方向な方向への位置規制が可能になる。
【００１２】
本発明の請求項２に記載の発明は、コード配置部分の形状を、その断面が１８０°以上となる円弧状に段落ちさせた請求項１に記載の発明であり、コードの断面形状と配置部分の断面形状がより近くなるため、ガイドの効果を高めることができる。
【００１３】
本発明の請求項３に記載の発明は、コード配置部分にコードの芯線部の直径以上でかつ被覆部の直径以下の幅となるガイド部を設けた請求項１に記載の発明である。
【００１４】
この構成により、挿入されたコードはガイド部において芯線部分しか通らなくなるため、コードが出ている方向の距離においても位置規制が可能となる。
【００１５】
本発明の請求項４に記載の発明は、コード配置部分において、コードが挿通するような蓋部分を設けた請求項１記載のスピーカであり、この構成により、接合されたコードがフレームから浮くことを防止できるため、コードのスピーカの高さ方向への位置バラツキを抑えることができる。
【００１６】
【発明の実施の形態】
以下、本発明の実施の形態について図面を用いて説明する。なお、各実施の形態の説明については、実施の形態１と同様のものはその説明を省略しながら説明する。
【００１７】
（実施の形態１）
以下、実施の形態１を用いて、本発明の特に請求項１に記載の発明について説明する。
【００１８】
図１は、本発明の一実施形態のスピーカを示したものである。
【００１９】
図１（ａ）は本発明の一実施形態のスピーカのヨーク４の面から見た背面図を示したもの、また図１（ｂ）は本発明のスピーカの側面半断面図を示している。さらに図１（ｃ）はコード方向から見た側面図、図１（ｄ）は外観斜視図を示したものである。
【００２０】
図１によると、振動部品であるボイスコイル１に振動板２を結合し、この振動板２の周縁部をフレーム３に結合している。そして、このボイスコイル１を駆動させるための電流供給用のコード５を、段落ちしたターミナル６と、コード配置部分８を通るように配置し、半田付け７により結合し構成している。
【００２１】
この構成により、コード５がコード配置部分８によってガイドされるため、コードの伸びる位置と垂直な方向へのバラツキを低減させることができる。
【００２２】
（実施の形態２）
以下、実施の形態２を用いて、本発明の請求項２に記載の発明について説明する。
【００２３】
図２（ａ）は本発明の一実施形態のスピーカのヨーク４の面から見た背面図を示したもの、また図２（ｂ）は本発明のスピーカの側面半断面図を示している。さらに図２（ｃ）はコード方向から見た側面図、図２（ｄ）は外観斜視図を示したものである。
【００２４】
実施の形態１と異なる点は、コード配置部分８が断面形状１８０°以上の円弧状となる形状とした点である。
【００２５】
この構成により、コード５とコード配置部分８との断面形状が近くなるため、コード５のガイド効果を更に高めることができる。
【００２６】
（実施の形態３）
以下、実施の形態３を用いて、本発明の特に請求項３に記載の発明について説明する。
【００２７】
図３（ａ）は本発明の一実施形態のスピーカのヨーク４の面から見た背面図を示したもの、また図３（ｂ）は本発明のスピーカの側面半断面図を示している。さらに図３（ｃ）はコード方向から見た側面図、図３（ｄ）は外観斜視図を示したものである。
【００２８】
実施の形態１と異なる点は、コード５のガイドとして設けているコード配置部分に、コードの芯線の半径以上でかつ被覆の半径以下となるガイド部９を設けた構成としていることである。
【００２９】
この構成により、コード５のフレームへの挿入方向に対しての位置を規制することが可能となり、よりコード位置の安定したコード付きスピーカを提供することができる。
【００３０】
（実施の形態４）
以下、実施の形態４を用いて、本発明の特に請求項４に記載の発明について説明する。
【００３１】
図４（ａ）は本発明の一実施形態のスピーカのヨーク４の面から見た図を示したもの、また図４（ｂ）は本発明のスピーカの側面半断面図を示している。さらに図４（ｃ）はコード方向から見た側面図、図４（ｄ）は外観斜視図を示したものである。
【００３２】
実施の形態１と異なる点は、コード５のガイド部分８に、コード挿通のための蓋部分１０を構成している点である。
【００３３】
この構成により、コード５は蓋部分１０によって、浮きが抑制され、フレームの高さ方向への位置バラツキを低減することができ、形状的な品質を安定させたコード付きスピーカを提供することができる。
【００３４】
【発明の効果】
以上のように本発明は、コード付きスピーカのコードガイドをフレーム上に設けて構成したものである。
【００３５】
この構成により、コード位置のバラツキを低減できる優れたコード付きスピーカを提供することができ、この工業的価値は非常に大なるものである。
【図面の簡単な説明】
【図１】本発明の一実施の形態におけるスピーカの背面図と側面半断面図、側面図および外観斜視図
【図２】本発明の一実施の形態におけるスピーカの背面図と側面半断面図、側面図および外観斜視図
【図３】本発明の一実施の形態におけるスピーカの背面図と側面半断面図、側面図および外観斜視図
【図４】本発明の一実施の形態におけるスピーカの背面図と側面半断面図、側面図および外観斜視図
【図５】従来のスピーカの背面図と側面半断面図、側面図および外観斜視図
【符号の説明】
１  ボイスコイル
２  振動板
３  フレーム
４  ヨーク
５  コード
６  ターミナル
７  半田付け
８  コード配置部
９  ガイド部
１０  コード挿通用蓋部分
【図１】
2005033361.tif 000003
【図２】
2005033361.tif 000004
【図３】
2005033361.tif 000005
【図４】
2005033361.tif 000006
【図５】
2005033361.tif 000007